(57)【特許請求の範囲】
【請求項１】
扉本体に横移動自在に組み込む駆動部材と、扉本体の下部に昇降自在に組み込み、前記駆動部材に連結する閉鎖部材とを備えてなり、該閉鎖部材は、扉枠の上枠材、竪枠材に装着すると同様なシールドパッキンを下面に装着し、扉本体の導電性の接続板に摺動自在に接触する導電性の接触材を介して扉本体と電気的に一体となり、前記駆動部材は、扉本体の上端面、両側端面に配設する偏心ピン付きのディスクを一斉に回転させることにより閉鎖位置の扉本体を扉枠に押し付けて密着させる押圧機構と共通の駆動源により、前記押圧機構側のピニオンと前記駆動部材側のラックとを介して扉本体のヒンジ側、反ヒンジ側に駆動し、前記押圧機構を介して扉本体を扉枠に密着させると同時に前記閉鎖部材を扉枠の下部に密着させて扉本体の電磁遮蔽を完成させ、前記押圧機構を介して扉枠に対する扉本体の密着を解除すると前記閉鎖部材を上方に復帰させることを特徴とする電波暗室等における扉のシール構造。
【請求項２】
前記閉鎖部材には、複数の昇降ロッドを付設し、該昇降ロッドは、それぞれ前記駆動部材の斜めのガイド孔に係合することを特徴とする請求項１記載の電波暗室等における扉のシール構造。
【請求項３】
前記昇降ロッドは、ローラを介して前記ガイド孔に係合することを特徴とする請求項２記載の電波暗室等における扉のシール構造。
【請求項４】
前記昇降ロッドは、共通の連結材を介して連結することを特徴とする請求項２または請求項３記載の電波暗室等における扉のシール構造。
【発明の詳細な説明】
【０００１】
【発明の属する技術分野】
この発明は、床面に段差を形成する必要がない電波暗室等における扉のシール構造に関する。
【０００２】
【従来の技術】
電波暗室等の出入口には、電磁遮蔽性の扉装置が組み込まれている。
【０００３】
従来の扉装置は、出入口に設置する扉枠に対し、扉本体が開閉自在に付設されている。また、扉本体には、閉鎖位置の扉本体を扉枠に押し付ける押圧機構が組み込まれており、扉枠の前面には、シールドパッキンが全周に亘って付設されている。ただし、扉枠の下部は、出入口の床面に対して上方に突出している。そこで、このものは、扉本体を閉鎖位置に回転させ、押圧機構を介して扉本体を扉枠に押し付けることにより、シールドパッキンを介して扉枠の前面に扉本体を密着させることができ、出入口を良好に電磁遮蔽することができる。
【０００４】
【発明が解決しようとする課題】
かかる従来技術によるときは、扉枠は、扉本体を前面に密着させることにより、シールドパッキンを介して全周に亘って電磁遮蔽性を実現するために、出入口の床面に対して下部を高く突出させることが必要であり、出入口に不必要な段差を形成してしまうという問題があった。
【０００５】
そこで、この発明の目的は、かかる従来技術の問題に鑑み、シールドパッキンを有する閉鎖部材を扉本体の下部に設けることによって、扉枠の下部を出入口の床面と同一レベルに形成しても、良好な電磁遮蔽性を容易に実現することができる電波暗室等における扉のシール構造を提供することにある。
【０００６】
【課題を解決するための手段】
かかる目的を達成するためのこの発明の構成は、扉本体に横移動自在に組み込む駆動部材と、扉本体の下部に昇降自在に組み込み、駆動部材に連結する閉鎖部材とを備えてなり、閉鎖部材は、扉枠の上枠材、竪枠材に装着すると同様なシールドパッキンを下面に装着し、扉本体の導電性の接続板に摺動自在に接触する導電性の接触材を介して扉本体と電気的に一体となり、駆動部材は、扉本体の上端面、両側端面に配設する偏心ピン付きのディスクを一斉に回転させることにより閉鎖位置の扉本体を扉枠に押し付けて密着させる押圧機構と共通の駆動源により、押圧機構側のピニオンと駆動部材側のラックとを介して扉本体のヒンジ側、反ヒンジ側に駆動し、押圧機構を介して扉本体を扉枠に密着させると同時に閉鎖部材を扉枠の下部に密着させて扉本体の電磁遮蔽を完成させ、押圧機構を介して扉枠に対する扉本体の密着を解除すると閉鎖部材を上方に復帰させることをその要旨とする。
【０００７】
なお、閉鎖部材には、複数の昇降ロッドを付設し、昇降ロッドは、それぞれ駆動部材の斜めのガイド孔に係合することができる。
【０００８】
また、昇降ロッドは、ローラを介してガイド孔に係合することができる。
【０００９】
なお、昇降ロッドは、共通の連結材を介して連結してもよい。
【００１０】
【作用】
かかる発明の構成によるときは、閉鎖部材は、横移動自在の駆動部材に連結されており、駆動部材を介して昇降することができる。すなわち、閉鎖部材は、扉枠の下部が出入口の床面と同一レベルに形成されていても、下降させて扉本体と扉枠との隙間を閉鎖し、シールドパッキンを介して良好な電磁遮蔽性を実現することができる。
【００１１】
駆動部材の斜めのガイド孔に係合する昇降ロッドは、駆動部材の横移動に連動して閉鎖部材を昇降駆動することができる。
【００１２】
ローラを介して昇降ロッドがガイド孔に係合するときは、ローラは、ガイド孔に沿って転動することができるから、昇降ロッドを昇降させる際の機械的な抵抗を小さくし、昇降ロッドを介して閉鎖部材を円滑に昇降させることができる。
【００１３】
共通の連結材を介して昇降ロッドを連結するときは、連結材は、駆動部材、閉鎖部材が長く、複数の昇降ロッドを使用する場合であっても、すべての昇降ロッドを一斉に昇降させ、閉鎖部材を円滑に昇降させることができる。
【００１４】
扉本体の押圧機構に連動して駆動部材を横移動させるときは、駆動部材は、押圧機構を介して扉本体を扉枠に密着させると同時に閉鎖部材を扉枠の下部に密着させることができ、押圧機構、駆動部材の駆動源を共通にし、扉本体の電磁遮蔽を一挙に完成させることができる。
【００１５】
【発明の実施の形態】
以下、図面を以って発明の実施の形態を説明する。
【００１６】
電波暗室等における扉のシール構造は、扉本体２０に組み込む駆動部材３１と、閉鎖部材４１とを主要部材としてなる（図１）。ただし、扉本体２０は、扉枠１０とともに扉装置を形成し（図２、図３）、扉枠１０に対し、開閉自在に組み合わされている。
【００１７】
扉枠１０は、下枠材１１、上枠材１２、左右の竪枠材１３、１３を枠状に組み立てて構成されている。なお、下枠材１１、上枠材１２、竪枠材１３、１３は、それぞれ適切に折曲げ加工された金属板材によって形成されている。下枠材１１は、補強材１１ａが全長に亘って組み付けられており、室内側、室外側の床面Ｆ、Ｆの双方に対してほぼ同一レベルに設置されている。上枠材１２は、補強材１２ａ、パッキン収納レール１２ｂと組み合わせ、図示しない建築物に固定されている。一方の竪枠材１３は、補強材１３ａ、パッキン収納レール１３ｂと組み合わせ、他方の竪枠材１３は、補強材１３ｃ、パッキン収納レール１３ｂと組み合わせ、それぞれ図示しない建築物に固定されている。
【００１８】
上枠材１２、竪枠材１３、１３の各前面には、パッキン収納レール１２ｂ、１３ｂ、１３ｂを介して一対のシールドパッキン１４、１４が装着されている。シールドパッキン１４、１４…は、導電性のゴムパッキンや、ゴム性の弾性材の表面に導電性の金属網を被覆して形成する複合パッキン等の電磁シールド性のパッキンであり、扉枠１０の左右、上部に亘って連続し、下面開放の門形に形成されている（図４）。
【００１９】
扉本体２０は、扉枠１０の一方の竪枠材１３に対し、上下のヒンジプレート２５、２５を介して開閉自在に連結されている（図３、図４）。扉本体２０は、枠状に組み立てる構造材２１、２１…と、室内側の表面材２２、室外側の表面材２３とを組み合わせて構成されている（図２、図３）。なお、構造材２１、２１…は、内側の補強板２１ａを介して相互に連結されている。また、表面材２３は、上部、左右の構造材２１、２１…に沿って室内側に折り曲げて表面材２２に接続されており、表面材２３には、開閉蓋２３ｂが組み付けられている。
【００２０】
表面材２２、２３は、それぞれ下部の構造材２１の下方にまで延長されており（図５）、表面材２２の内側には、補強板２２ａが付設されている。なお、補強板２２ａの下端部には、内側に導電性のステンレススチール板からなる接続板２２ｂが付設されている。また、表面材２２、２３は、下部の構造材２１の下側において別の補強材２２ｃ、２３ａを介して連結し、扉本体２０の下部を閉鎖している。なお、補強材２２ｃは、補強板２２ａに沿って構造材２１の下面にまで延長されており、補強材２２ｃの内側には、固定ベース２２ｄが付設されている。また、扉本体２０の室外側には、取手２０ａが付設されている（図４）。
【００２１】
ヒンジプレート２５、２５は、それぞれ扉枠１０側の支持ブロック２５ａ、２５ａ、扉本体２０側の支持ブロック２５ｂ、２５ｂを介し、扉枠１０、扉本体２０の双方に対して水平回転自在に連結されている（図３、図４）。なお、支持ブロック２５ａ、２５ａは、ヒンジ側の竪枠材１３の補強材１３ｃに固定されており、支持ブロック２５ｂ、２５ｂは、図示しない厚肉の固定板を介し、扉本体２０の補強板２１ａに固定されている。そこで、扉本体２０は、ヒンジプレート２５、２５を介し、閉鎖位置（図３の実線）と、開放位置（同図の二点鎖線）とに開閉させることができる（同図の矢印Ｋ1 方向）。また、扉本体２０は、ヒンジプレート２５、２５を介し、閉鎖位置において、扉枠１０に対して前後方向にほぼ平行移動させることができる。
【００２２】
扉本体２０には、押圧機構２６が組み込まれている。押圧機構２６は、扉本体２０の上端面、両側端面に配設する偏心ピン２６ｆ付きのディスク２６ｇ、２６ｇ…と、ディスク２６ｇ、２６ｇ…に対応して扉枠１０側に組み込む係合部材１５、１５…、１６、１６…とを組み合わせて構成されている（図４、図６）。なお、扉枠１０の反ヒンジ側の竪枠材１３、上枠材１２に組み込む係合部材１５、１５…は、それぞれガイド溝１３ｃ、１２ｃの奥に配設されている。ディスク２６ｇ、２６ｇ…は、扉本体２０に縦横に組み込む駆動軸２６ｄ、２６ｄ…の各先端に固定されている。駆動軸２６ｄ、２６ｄ…は、適当なギヤ機構を介して連結されており、扉本体２０の室内側の操作ハンドル２６ａ、扉本体２０内の操作モータ２６ｂのいずれか一方を駆動源として、ディスク２６ｇ、２６ｇ…を一斉に回転させることができる。なお、操作ハンドル２６ａの軸２６ｃには、室外側の開閉蓋２３ｂを開くことにより、非常用の操作ハンドル２６ｂを装着することができる（図３の二点鎖線）。また、軸２６ｃと、それに付随する操作モータ２６ｄを含む主要なギヤ機構は、ケース２６ｃ1 に収納されている。
【００２３】
扉本体２０の上端面、反ヒンジ側の側端面のディスク２６ｇ、２６ｇ…は、ヒンジプレート２５、２５を介して扉本体２０を閉鎖位置に回転させることにより、扉枠１０のガイド溝１３ｃ、１３ｃ…、１２ｃを介し、それぞれの偏心ピン２６ｆを対応する係合部材１５の係合溝１５ａに進入させることができる（図４、図６（Ａ））。一方、扉本体２０のヒンジ側のディスク２６ｇ、２６ｇ…は、扉本体２０の開閉に拘らず、それぞれの偏心ピン２６ｆを対応する係合部材１６の係合孔１６ａに常時係合させている（図４、図６（Ｂ））。なお、各係合部材１６は、ブラケット１６ｂを介し、ヒンジ側の竪枠材１３に回転自在に装着されている。
【００２４】
そこで、押圧機構２６は、扉本体２０を閉鎖位置に位置させてディスク２６ｇ、２６ｇ…を一斉に回転させ（図６（Ａ）、（Ｂ）の矢印Ｋ2 、Ｋ2 方向）、偏心ピン２６ｆ、２６ｆ…を対応する係合部材１５の係合溝１５ａ、係合部材１６の係合孔１６ａ内において約２７０゜旋回させることにより、扉本体２０を扉枠１０に押し付けて密着させることができる。このとき、偏心ピン２６ｆ、２６ｆ…は、旋回途中において扉本体２０を一旦室外側に駆動することにより、扉枠１０に対する扉本体２０の姿勢を平行に整え、その後、扉本体２０を扉枠１０側に平行に駆動することができる。
【００２５】
また、押圧機構２６は、ディスク２６ｇ、２６ｇ…を一斉に逆回転させて偏心ピン２６ｆ、２６ｆ…を元の位置に復帰させることにより、扉枠１０に対する扉本体２０の密着を解除するとともに、扉本体２０を開放可能にすることができる。なお、ヒンジ側のディスク２６ｇ、２６ｇ…の偏心ピン２６ｆ、２６ｆ…は、それぞれ対応する係合部材１６の係合孔１６ａに常時係合しているから、扉本体２０のヒンジ側が竪枠材１３から大きく離れることがなく、扉本体２０は、ヒンジプレート２５、２５を介して安定に回転させ、開閉することができる。
【００２６】
駆動部材３１は、ホルダ３２、３２…を介し、扉本体２０の下部に横移動自在に組み込まれている（図１、図５）。駆動部材３１は、扉本体２０の幅方向に配設されており、扉本体２０のヒンジ側に向けて上向きに傾斜する斜めのガイド孔３１ａ、３１ａ…が形成されている。なお、ガイド孔３１ａ、３１ａ…は、互いに平行に同一高さに形成されており、それぞれの両端部には、短い水平部分が形成されている。ホルダ３２、３２…は、それぞれナイロン材のような摺動材からなるスペーサ３２ａを介して扉本体２０の固定ベース２２ｄに固定されており、全体として、駆動部材３１を横移動自在に保持している。
【００２７】
駆動部材３１は、ラック３３、ピニオン２６ｅを介して押圧機構２６に連結されている。ラック３３は、ラックベース３３ａを介して駆動部材３１に固定され、ピニオン２６ｅは、押圧機構２６の一部を形成する駆動軸２６ｄに固定されている。なお、扉本体２０の固定ベース２２ｄには、補強板２２ｅ1 を介し、駆動部材３１の裏面に摺接する摺動材からなるスペーサ２２ｅが付設されており、スペーサ２２ｅ、補強板２２ｅ1 は、ラック３３にピニオン２６ｅが噛合することによって駆動部材３１が変形することを防止している。
【００２８】
閉鎖部材４１は、扉本体２０の下部に昇降自在に組み込むアルミニウム材のブロック体であり、導電性の補強材４１ａ、表面材４１ｂ、４１ｂと組み合わせて構成されている。また、閉鎖部材４１の下面には、扉枠１０のシールドパッキン１４、１４…と同様なシールドパッキン４２、４２が装着されており、後部の側面には、扉本体２０の接続板２２ｂに摺動自在に接触する導電性の接触材４１ｃ、４１ｃが全長に亘って付設されている。また、閉鎖部材４１には、昇降ロッド４３、４３…が立設されており、各昇降ロッド４３は、扉本体２０の補強材２２ｃを上下に貫通し、固定ベース２２ｄに固定するガイドブロック４３ａを摺動自在に貫通している。なお、各昇降ロッド４３は、下部の小径部４３ｂを閉鎖部材４１に挿入し、セットねじ４３ｃを締め込むことにより閉鎖部材４１に連結されており、各ガイドブロック４３ａには、ブッシュ４３ａ1 が組み込まれている。
【００２９】
各昇降ロッド４３の上部には、駆動部材３１のガイド孔３１ａ内を転動するローラ４３ｄが装着されており、中間部は、連結材４３ｅを介して他の昇降ロッド４３、４３と連結されている。そこで、昇降ロッド４３、４３…は、それぞれローラ４３ｄを介してガイド孔３１ａに係合しており、駆動部材３１が横移動し、ローラ４３ｄ、４３ｄ…を介して上下に駆動することにより、閉鎖部材４１を昇降させることができる。また、閉鎖部材４１は、接触材４１ｃ、４１ｃを介して接続板２２ｂに電気的に接続され、扉本体２０と電気的に一体となっている。
【００３０】
かかる電波暗室等における扉のシール構造の作動は、次のとおりである。
【００３１】
駆動部材３１は、扉本体２０が開放位置にあるときや、扉本体２０が閉鎖位置にあっても押圧機構２６によって扉枠１０に押し付けられていないとき、押圧機構２６を介して扉本体２０の反ヒンジ側に待機し（図１の二点鎖線）、ガイド孔３１ａ、３１ａ…、昇降ロッド４３、４３…を介して閉鎖部材４１を上昇限に待機させている（図４）。なお、このときのローラ４３ｄ、４３ｄ…は、それぞれ対応するガイド孔３１ａのヒンジ側の上部に位置しており、対応する昇降ロッド４３を上昇限に引き上げている。
【００３２】
押圧機構２６を作動させて閉鎖位置の扉本体２０を扉枠１０側に押し付けると、駆動部材３１は、ピニオン２６ｅ、ラック３３を介し、押圧機構２６に連動してヒンジ側に横移動し（図４の矢印Ｋ3 方向）、ガイド孔３１ａ、３１ａ…、ローラ４３ｄ、４３ｄ…を介して昇降ロッド４３、４３…を一斉に下方に駆動し、閉鎖部材４１を下降させることができる（図４の矢印Ｋ4 方向、図１の実線）。そこで、閉鎖部材４１は、扉本体２０と、扉枠１０の下部材１１との隙間を閉鎖し（図５）、シールドパッキン４２、４２を介して下部材１１に密着する。すなわち、扉本体２０は、扉枠１０側のシールドパッキン１４、１４…、閉鎖部材４１側のシールドパッキン４２、４２を介して扉枠１０と電気的に完全に一体となり、良好な電磁遮蔽性を実現することができる。
【００３３】
また、押圧機構２６を介して扉枠１０に対する扉本体２０の密着を解除するとき、駆動部材３１は、押圧機構２６に連動して扉本体２０の反ヒンジ側に横移動し、ガイド孔３１ａ、３１ａ…、ローラ４３ｄ、４３ｄ…を介して昇降ロッド４３、４３を上方に駆動して閉鎖部材４１を上方に復帰させることができる。
【００３４】
以上の説明において、駆動部材３１は、ラック３３、ピニオン２６ｅを介して押圧機構２６に連動させるに代えて、任意の手動または電動の駆動源を介して横移動させてもよい。また、駆動ロッド４３は、ローラ４３ｄを介してガイド孔３１ａに係合させるに代えて、ガイド孔３１ａに対して摺動自在に係合するピンを介して係合させてもよい。
【００３５】
【発明の効果】
以上説明したように、この発明によれば、横移動自在の駆動部材と、シールドパッキン付きの閉鎖部材とを組み合わせることによって、閉鎖部材は、駆動部材を介して下降させ、シールドパッキンを介して扉本体と扉枠とを電気的に一体に遮蔽することができるから、扉枠の下部を出入口の床面と同一レベルに形成しても、良好な電磁遮蔽性を容易に実現することができるという優れた効果がある。
【図面の簡単な説明】
【図１】  全体構成斜視図
【図２】  扉装置の垂直断面図
【図３】  扉装置の水平断面図
【図４】  扉装置の構成概略図
【図５】  図２の要部拡大図
【図６】  図５の要部拡大分解斜視図
【符号の説明】
２０…扉本体
２６…押圧機構
３１…駆動部材
３１ａ…ガイド孔
４１…閉鎖部材
４２…シールドパッキン
４３…昇降ロッド
４３ｄ…ローラ
４３ｅ…連結材
【図１】
0003858183.tif 000002
【図２】
0003858183.tif 000003
【図３】
0003858183.tif 000004
【図４】
0003858183.tif 000005
【図５】
0003858183.tif 000006
【図６】
0003858183.tif 000007